(57)【特許請求の範囲】
【請求項１】
自動いか釣機本体における捲取ドラム１の外周に、円筒状捲取ドラム２を空転自在に、添着して成る自動いか釣機用捲取回転ドラム。
【請求項２】
自動いか釣機本体における捲取ドラム１の外周に、円筒状捲取ドラム２を空転自在に添着し、その捲取ドラムに釣糸３の一側端を固定し、且つ、該釣糸の他端は、円筒状捲取ドラム２に設けた通路鉤４に挿通して、通路鉤突当り止具５を固着すると共に、その通路鉤突当り止具の先に、順次多数のいか釣針６を連接して成る自動いか釣機。
【請求項３】
自動いか釣機本体における捲取ドラム１の外周に、円筒状捲取ドラム２を空転自在に添着し、且つ、該円筒状捲取ドラム２と捲取ドラム１との間に、電波指示で開閉自在な電磁弁７を設けて、上記、円筒状捲取ドラム２と捲取ドラム１とを脱着自在に構成した自動いか釣機。
【請求項４】
自動いか釣機本体における捲取ドラム１の外周に、円筒状捲取ドラム２を空転自在に添着し、且つ、該円筒状捲取ドラム２に副回転軸８ａを設けこの副回転軸に電波で駆動停止する駆動モーター９を直結、又は歯車を介して構成した事を特徴とする自動いか釣機。
【発明の詳細な説明】
【０００１】
【発明の属する技術分野】
本発明は、自動いか釣機用回転ドラム並びにその回転ドラムを用いて成る自動いか釣機に関する。
【０００２】
【従来の技術】
従来の自動いか釣機は、捲取ドラムの形状について菱形状のものを用い、いか釣針の海中においてのシャクリ作用並びに釣糸やいか釣針の捲き取り捲き戻し作用を行い、いか釣りに利用してきているものであった。（以下先行技術と略称する。）
【０００３】
【発明が解決しようとする課題】
さて、上記した先行技術の自動いか釣機は一個の捲取ドラムで、いか釣針を海中において、シャクリ作用させたり、又、釣糸やいか釣針の捲き取り捲き戻し作用をしたりするために、まず、いか釣針と釣糸が同一ドラムの同一場所に重なるように捲取られ、従って、いか釣針の針先が釣糸に刺さり釣糸を傷め、ときには、傷め付けられた釣糸が、その点で接断される要因となり、逆に釣糸に鉄製ワイヤーなどが用いられると、いか釣針の針先が傷められる課題（以下第一課題と略称する。）があった。
【０００４】
加えて、いか釣針の針先が釣糸刺さった状態のままになる恐れがあり、そのような状態となると自動いか釣機は、常時回転しているものであるから、いか釣針と釣糸は絡んでしまい、いか釣針と釣糸の捲取ドラムへの捲取り捲戻し作用は不能となり、いか釣りが不可能となる課題（以下第二課題と略称する。）もある。
【０００５】
重ねて、捲取ドラムは形状が菱形である。この為、捲取ドラムには数個所に角部が生じ、その角部にいか釣針の擬餌部が接すると、擬餌部は折り曲がったり破損する課題（以下第三課題と略称する。）も生じるものであった。
【０００６】
このため、捲取ドラムの角部に接しても、折り曲がったり破損しない金属製の擬餌部から成るいか釣針を、使用することも考えられるが、今度は擬餌部で折り曲がりや破損の恐れはないとしても、捲取ドラムの角部に擬餌部の先端が接した場合には、反対側の釣針部分が立ち上がり、反対に釣針部分が角部に接すると、擬餌部の先端が立ち上がる状態となり、いずれにしても、次回の回転時に取込む釣糸が、絡みやすい状態であることにかわりなく、又、他の付属部品にも当たりやすく擬餌部が、金属製のいか釣針は自動いか釣機に使用するには、不向きのいか釣針である課題（以下第四課題と略称する。）もあった。
【０００７】
且つ、又、大型いか釣針はその長さが長いため、捲取ドラムの角部に接した部分が擬餌部であたり、釣針部であれその反対側の立ち上がりが激しく、いか釣針と釣糸との絡み合いが生じたり、又、他の付属部分との当たりもあって大型いか釣針は、自動いか釣機には使用不可能な課題（以下第五課題と略称する。）もある。
【０００８】
【課題を解決するための手段】
上記、課題群を解決するため本発明が講じた技術手段は、先行技術にある捲取ドラムの外周に、角部もなく大径にも小径にもすることができる円筒形捲取ドラムを空転自在に添着し、従って捲取ドラムには、釣糸（道糸）を捲き取り捲き戻しをさせ、円筒状捲取ドラムには、いか釣針部分のみを捲き取り捲き戻しさせて釣糸（道糸）といか釣針とを分離して、捲取り捲戻しをすることによって課題群を解決したものである。詳しくは第一課題についていか釣針と釣糸（道糸）が同一ドラムでなく、捲取ドラムと円筒状捲取ドラムに分離したので、各々が傷められることなく使用することを可能にして、第一課題を解決した。
【０００９】
第二課題についで、第一課題解決手段でもあるが、いか釣針と釣糸（道糸）とを捲取ドラムと円筒状捲取ドラムに分離すると共に、いか釣針は円筒状捲取ドラムに円筒状に捲取り捲戻しされるため、角部のない円筒状捲取ドラムにいか釣針と釣糸（テグス）は、馴染みやすく、いか釣針と釣糸（道糸）の絡み合いを防止して第二課題も解決している。
【００１０】
第三〜四課題について、いか釣針の捲取り捲戻しのドラムを円筒状捲取ドラムとしたため、角部がなく擬餌部が折り曲がったり、破損したりする部分がなく第三〜四課題も解決しているものである。
【００１１】
更に、第五課題についていか釣針を捲取り捲戻しするだけの、円筒状捲取ドラムであるからシャクリ作用が、要求されていないため大形の円筒状捲取ドラムを用いることが可能で、大型いか釣針の捲取り捲戻し作用に無理がなく、自動いか釣機に大型いか釣針を使用可能にして、第五課題も解決しているものである。
【００１２】
加えて、自動いか釣機本体における捲取ドラムの外周に、円筒状捲取ドラムを空転自在に添着したのみでは、捲取ドラムと円筒状捲取ドラムの同時回転は不可能であるため、同時回転させるためには釣糸を円筒状捲取ドラムに、固着したり外したりする手段が必要で、この為に人手が必要になりせっかくの自動いか釣機が半自動的となるため、これを、すべて自動化するため円筒状捲取ドラムには、第一手段としては、通路鉤を設け釣糸側には、通路鉤突当り止具を備えさせて、半自動化する欠点を解決し、又、第二手段として、捲取ドラムと円筒状捲取ドラムとの間に、開閉自由になるラチェット電磁弁で同時回転したり、空転回転せしめたりして自動いか釣機とし、且つ、又第三手段としては捲取ドラムと円筒状捲取ドラムとの駆動源を別に設けて、捲取ドラムと円筒状捲取ドラムとを、同時同一回転したり、円筒状捲取ドラムを空転自在にしたりして、人手など必要とせず、自動いか釣機として使用し得るよう解決している。
【００１３】
【発明の実施の形態】
本発明の、実施の形態を図面と共に説明するに、先ず図１乃至図３が願本発明請求項１の発明の実施形態を示すもので、基本的原理的発明である。具体的には自動いか釣機本体における、捲取ドラム１の外周に円筒状捲取ドラム２を空転自在に添着して構成するものである。その自動いか釣機本体の構成は、駆動装置１０に回転軸８を一側又は、左右両側に突設せしめて設け、この回転軸に捲取ドラム１を固定する。この捲取ドラムは回転軸８のシャクリ回転、捲取り回転、捲戻し回転に従って回転する。又捲取ドラム１の構成は、一対の内外側フランジ間に支持杆１２を、張架して形成すると共に、その支持杆位置は二枚のフランジ間に、菱形形状になるように固定する。且つ、又捲取ドラム１の外周に添着する円筒状捲取ドラム２の構成は、二枚の大型フランジ間の両内側に支持棒１５を、張架して形成すると共に、その支持棒の間隔を少なくして両大型フランジ間に円筒形状胴部を構成せしめこの円筒状捲取ドラムを前記、捲取ドラム１の外周に包むように且つ、空転状態になるように添着するものである。
【００１４】
【作用】
上記、請求項１の発明の作用は、図４乃至５にしめしてある。具体的には、先ず、自動いか釣機本体の前方にガイドローラ１３を、いか受け金網受杆１４を介してセットする。一方、釣糸（道糸）３の一方端を捲取ドラム１に固定しると共に、他方端には釣糸（テグス）に多数のいか釣針６を、連接した釣糸（テグス）３を結着する。この状態においていか釣針６と釣糸（道糸とテグス）３を海中に投入する場合は、ガイドローラ１３を介して海中に投入する。一定時間いか釣りをした後いか釣針６は、引き上げ作業となり、従って、捲取ドラム１が捲取回転に入り、その捲取ドラム１に釣糸（道糸）３を捲き込むと共に次第にいか釣針６は引き上げられ、最初のいか釣針６が、ガイドローラ１３を通過しる頃に、釣糸（道糸）３をつまみ円筒状捲取ドラム２の、適宣位置に結び付ける。しかし、捲取ドラム１は回転を続けているので、円筒状捲取ドラム２の釣糸（道糸）３の、結び付け点を結着点として捲取ドラム１の釣糸（道糸）３が、引張るようになり、今まで空転していた円筒状捲取ドラム２が、捲取ドラム１の回転にあわせて自動的に回転しはじめ、いか釣針６の部分を捲取りはじめる。これによって釣糸（道糸）３のみが、捲取ドラム１に捲取られいか釣針６とそれを継ぐ釣糸（テグス）３の部分は、円筒状捲取ドラム２に捲取られて釣糸（道糸）３と、いか釣針６が分離して捲取られる。又、釣糸（テグス）３を円筒状捲取ドラム２に、結着することが作業中であるため、大変である場合は、円筒状捲取ドラム２の適宣位置に、釣糸引掛杆１６を突設しておき、又、最手元の、いか釣針６の前に位置して、釣糸（道糸）３を先に輪状にしておき、この輪状の釣糸（道糸）３  が引上って来たら、それを先の釣糸引掛杆１６に引掛け、その作業性を容易にする作用もある。
【００１５】
次に、請求項２の発明について図面と共に説明するに、図６乃至９が請求項２の発明の実施図面である。これに構成を加えて説明すれば、自動いか釣機本体における捲取ドラム１の外周に、円筒状捲取ドラム２を空転自在に添着し、その捲取ドラムに釣糸３の一側端を固定し、且つ、該釣糸の他端は、円筒状捲取ドラム２に設けた通路鉤４に挿通して、通路鉤突当り止具５を固着すると共に、その通路鉤突当り止具の先には順次多数のいか釣針６を連接して、自動いか釣機を構成している。又、自動いか釣機本体と、円筒状捲取ドラム２の構成は、請求項１の発明と同じでもよいが、この発明は。いか釣針６の重量を考えて甲板１９より支柱１１で、回転軸８を支えるものである。しかし必ずしも支柱１１を用いなくてもよい。且つ又、通路鉤４は円筒状捲取ドラム２に設けるのであるが、その円筒状捲取ドラムの胴部は、多数の支持棒１５で構成され、そのうちの二本を利用し、一つの支持棒１５と隣り合わせにある他の支持棒１５との間隔を、釣糸が通る程度の隙間として構成し、他方通路鉤突当り止具５は、釣糸３を固着することができると共に、通路鉤４には通らない大きさの玉状体に成形する。これによって一方端には、釣糸（道糸）３を他方端にも釣糸（テグス）３が、固着できるように構成するものである。
【００１６】
【作用】
これら請求項２の、発明における構成をもって、その作用を図１０乃至１１と共に説明すれば、自動いか釣機本体の前方にガイドローラ１３に、いか受け金網受杆１４を介してセットする。一方釣糸（道糸）３の一方端を捲取ドラム１に、固着すると共に、他方端は円筒状捲取ドラム２の通路鉤４に挿通して、通路鉤突当り止具５の一側に固定する。又、その通路鉤突当り止具の他側には、釣糸（テグス）３で多数のいか釣針６を、連接した釣糸（テグス）３の一端を結着する。この状態において、釣糸（テグス）３といか釣針６を海中に投入する場合は、ガイドローラ１３を介して投下する。一定時間いか釣りをした後、いか釣針６は引上げ作業となり、従って、捲取ドラム１が捲取り回転に入り、その捲取ドラムに釣糸（道糸）３が捲き込まれる。次第にいか釣針６は引上げられるが、その前段に位置してある通路鉤突当り止具５が、先に、円筒状捲取ドラム２の通路鉤４に突当たる。しかし捲取ドラム１は回転を続けているので、円筒状捲取ドラム２の通路鉤４と、通路鉤突当り止具５の部分が、引張固定起点となって、捲取ドラム１の釣糸（道糸）３が引張るようになり、今まで空転していた円筒状捲取ドラム２が、捲取ドラム１の回転に合わせるように、自動的に回転しはじめ、いか釣針６の部分を捲取りはじめる。これによっていか釣針６のない釣糸（道糸）３のみが、捲取ドラム１に捲取られ、いか釣針６とそれを継ぐ釣糸（テグス）３の部分は、円筒状捲取ドラム２に捲取られて、釣糸（道糸）３といか釣針６、並びに釣糸（テグス）３とが分離して、捲取られる作用となる。
【００１７】
更に、請求項３の発明の実施形態を、図１２乃至１４を以って説明するに、自動いか釣機本体における捲取ドラム１の外周に、円筒状捲取ドラム２を空転自在に添着し、且つ、該円筒状捲取ドラム２と捲取ドラム１との間に、電波の指示で開閉自在な電磁弁７を設けて、上記、円筒状捲取ドラム２と捲取ドラム１を脱着自在に、構成した自動いか釣機であり、又、自動いか釣機本体と、捲取ドラム１の構成は、請求項１の発明と同一のものである。且つ、又この発明もいか釣針６の重量を考えて、甲板１９より支柱１１で回転軸８を支えるが必ずしも用いなくてもよい。更に、電磁弁７の構成は電磁コイルａ１に回転止棒状爪ａ２を出入り自在に挿入し、その回転止棒状爪の爪先は、円筒状捲取ドラム２に固定した切欠溝付車ａ３の凹欠部に、電磁コイルａ１の作用によって、出入り作用をするものとすると共に、他方端には引張バネａ４で、回転止棒状爪ａ２を常時引張るように設定し、従って電磁コイルａ１が作動したとき回転止棒状爪ａ２の爪先は切欠溝付車ａ３の凹欠部に貫入し、電磁コイルａ１の作動が停止したときは、引張バネａ４の作用で、回転止棒状爪ａ２の爪先は、切欠溝付車ａ３の凹欠部から分離する。加えて、電磁弁７の操作は、電波発信器の電波の指示により電磁コイルａ１は、作動するようにする。その電波の発信は、捲取ドラム１の回転数を利用し、釣糸（道糸）３の捲取ドラム１に、捲取られる長さを確定してその決められた長さになると、電波が発信するように設けられている。釣糸（道糸）３のどの長さで、電波発信器の発信作用を始動させるかは、駆動装置１０内に内包してある電波発信器で行い、その目安は電波発信指示計の指示で作動する。その指示は可変可能で指示変更ボタン１８を操作する。これら電波発信指示計１７と指示変更ボタン１８は駆動装置１０の背面板に設置し外から操作ができるようにしてある。
【００１８】
【作用】
次に、請求項３の発明における作用を構成と共に、図１５乃至図１６にを以って説明するに、自動いか釣機本体の前方に、ガイドローラ１３をいか受け金網受杆１４を介してセットする。一方釣糸（道糸）３と釣糸（テグス）３に連接されたいか釣針６は、釣糸（道糸）３の開放端を捲取ドラム１に固定して、その釣糸（道糸）を捲取りいか釣針６と、釣糸（テグス）３は円筒状捲取ドラム２に、捲取ってセットする。その状態において、釣糸（テグス）３といか釣針６並びに、釣糸（道糸）３を海中に投入する場合はガイドローラ１３を介して、海中に投下する。一定時間いか釣りをした後いか釣針６は引上げ作業となる。従って、捲取ドラム１が捲取り回転に入り、その捲取ドラムに、先ず釣糸（道糸）３が捲き込まれる。次第にいか釣針６が引上げられ、捲取ドラムに最初のいか釣針６が、接近したところで、指示されていた電波発信器が作動し、電磁弁７の電磁コイルａ１が磁化されて、回転止棒状爪ａ２を引押せ、その先端を円筒状捲取ドラムに、固定されている切欠溝付車ａ３の、溝部に挿入され、円筒状捲取ドラム２と捲取ドラム１は、一体化して回転し、従って、引き上げられてくるいか釣針６の部分と、釣糸（テグス）３とは、自動的に円筒状捲取ドラム２に、捲取られる作用をするのである。捲取り作用が終了すると、電磁弁７の作動は自動的に停止する。
【００１９】
加えて、請求項４の発明の実施形態を図１７と共に説明するに、自動いか釣機本体における捲取ドラム１の外周に、円筒状捲取ドラム２を空転自在に添着し、該円筒状捲取ドラムに副回転軸８ａ１を設け、この副回転軸に電波で駆動又は、停止する駆動モーター９を直結、又は、歯車機構を介して成る自動いか釣機であるが、その回転軸８ａは捲取ドラム１の、回転軸８と空転状態とするため、副回転軸８ａを外側とすると共に、筒状体にしその筒状体内に捲取ドラム１の回転軸８を装備する。又、自動いか釣機本体と捲取ドラム１の構成は、請求項１の発明と同一のものを用いるものである。且つ、又駆動モーター９は、電波発信器の電波の指示により駆動又は停止するものであり、その電波の発信は請求項３の発明と同じように捲取ドラム１の回転数を利用するものである。電波発信器は電波発信指示計１７と、指示変更ボタン１８を備え、且つ、電波発信器は駆動装置１０内に内包し、電波発信指示計１７と指示変更ボタン１８は、駆動装置１０の適宣外壁に設置し外側から操作ができるようにする。且つ、又電波発信指示計１７の変動は、指示変更ボタン１８で操作して希望の発信値を指定するものである。
【００２０】
【作用】
更に、請求項４の発明における作用を構成と共に、図１７を中心に説明するに、先の請求項１乃至３の発明と同様に、自動いか釣機本体の前方に、ガイドローラ１３をいか受け金網受杆１４を介して、セットする一方釣糸（道糸）３の開放端を、捲取ドラム１に固着して、その釣糸（道糸）３を捲取り、いか釣針６と釣糸（テグス）３は、円筒状捲取ドラム２に捲取ってセットする。その状態において釣糸（テグス）３と、いか釣針６並びに、釣糸（道糸）３を海中に投入する場合は、ガイドローラ１３を介して、海中に投下する。一定時間いか釣りをした後、いか釣針６は引上げ作業となり、従って、捲取ドラム１が、先ず、回転に入り釣糸（道糸）３が、捲き込まれる。次第にいか釣針６が引上げられ、捲取ドラム１に最初のいか釣針６が、接近したところで、指示されていた電波発信器が作動し、駆動モーター９が駆動をはじめる。従って、この駆動モーターの回転により、円筒状捲取ドラム２も回転し、引上げられてくるいか釣針６と、釣糸（テグス）    ３とは、自動的に円筒状捲取ドラム２に、捲取られる作用をするものである。捲取り作業が終了したら、駆動モーター９の回転を停止すればよい。
【００２１】
詳しくは、円筒状捲取ドラム２の大きさは、捲取ドラム１の大きさより、大であればよく、自由に大径のものを選択ができ、大型化して甲板１９に、当たるようになった場合は、駆動装置１０を大型化して、回転軸８の高さを大にして応じればよく、又、いか釣針６の大きさも自由で、小型いか釣針６から大型いか釣針６まで、選択し得るものである。しかも最近は、大型のいか釣針６も擬餌体に、軽い金属のパイプ状のものを使用し、全体として軽量化されているので、多量の大型いか釣針が、同時に使用も可能である。
【００２２】
【発明の効果】
本発明における、請求項１の発明は自動いか釣機本体における捲取ドラムの外周に、円筒状捲取ドラムを空転自在に添着して成る自動いか釣機用捲取回転ドラムであるが、釣糸（テグス）  により多数連接したいか釣針の一方端になる釣糸（道糸）  を、円筒状捲取ドラムの胴部を通して捲取ドラムに固定し、捲上げられるいか釣針の最初のいか釣針の手前で、釣糸（道糸）  を円筒状捲取ドラムに引掛け固定すれば、釣糸（道糸）は捲取ドラムに捲取られ、いか釣針部分は円筒状捲取ドラムにまかれる。従っていか釣針の針先が釣糸（道糸）に刺さって傷めることなく、又傷め付けられてその点で釣糸が接断させるようなことがなく、且つ、又釣糸（道糸）に鉄鋼製のワイヤーを用いることがあった場合にはいか釣針の針先を傷めるのであるがそれも全く生じる除地なく有益な効果が得られるものである。
【００２３】
更に、いか釣針の針先が釣糸（道糸）に刺さった場合、そのままの状態が続くことが多い、いか釣針の針先が釣糸（道糸）に刺されたままであると、捲取ドラムは釣糸（道糸）を捲取っているいるのであるから、常に回転を続けていて、全体的にいか釣針と釣糸（道糸）が絡み、いか釣りが不能な状態になる。従って、いか釣針と釣糸（道糸）との絡みがない分、いか釣りを不能とすることがない効果もある。
【００２４】
重ねて、円筒状捲取ドラムは胴部が、円筒状であり全部がなだらかな曲線のため、いか釣針と胴部が馴染み、擬餌部が折り曲がったり破損したりすることもない。
【００２５】
加えて、角部がないことと大型化が可能である円筒状捲取ドラムは、角部がないから、いか釣針が立上がった状態となることがない。このことにおいて、釣糸（道糸）といか釣針が絡むことがない。これは、大型いか釣針においても同じ効果が得られるものである。
【００２６】
次に、請求項２の発明効果であるが、その構成は、自動いか釣機本体における捲取ドラムの外周に、円筒状捲取ドラムを空転自在に添着し、その捲取ドラムに釣糸の一側端を固定し、且つ、該釣糸の他端は、円筒状捲取ドラムに設けた通路鉤に挿通して、通路鉤突当り止具を固着すると共に、その通路鉤突当り止具の先に、順次多数のいか釣針を連接して成る自動いか釣機であるので、請求項１の発明における効果が得られる上に、通路鉤突当り止具が通路鉤と突当ると、その部分で止まりり、従って、捲取ドラムの回転は釣糸（道糸）を介して、円筒状捲取ドラムに伝えられると共に、回転し始め捲取ドラムには釣糸（道糸）が捲かれ、円筒状捲取ドラムには、いか釣針が作業者の手を借りることなく、請求項１の発明より更に自動化した効果が得られるものである。
【００２７】
更に、請求項３の発明効果は、構成を自動いか釣機本体における、捲取ドラムの外周に、円筒状捲取ドラムを空転自在に添着し、該円筒状捲取ドラムとの間に、電波指示で開閉自在に電磁弁を設けて、上記、円筒状捲取ドラムと捲取ドラムとを、脱着自在に構成した自動いか釣機であるので、多数連接した、いか釣針の釣糸一端を捲取ドラムに固定し、且つ、いか釣針のみを円筒状捲取ドラムに、捲取りたい時点が来た場合に、電波発信器が発信するようにセットしておけば、その指示に従って電磁弁が、作動し捲取ドラムと円筒状捲取ドラムは、一体化すると共に、捲取ドラムには釣糸（道糸）部分のみを捲取り、円筒状捲取ドラムには、いか釣針部分のみを捲取って、いか釣針と釣糸（道糸）とを完全に分離して捲取られ、請求項１の発明と同一効果が得られると共に、請求項２と同じ効果も得られる発明大なるものである。
【００２８】
加えて、請求項４の発明効果は、機構を自動いか釣機本体における捲取ドラムの外周に、円筒状捲取ドラムを空転自在に添着し、且つ、該円筒状捲取ドラムに副回転軸を設け、その副回転軸に電波で駆動したり停止したりする駆動モーターを直結、又は、歯車を介して成る自動いか釣機であるので、多数連接したいか釣針の釣糸（道糸）の一方端を、捲取ドラムに固定し、且つ、いか釣針のみを円筒状捲取ドラムに捲取りたい時点が来た場合に、駆動モーターが回転するように、電波発信器に発信指示をしておけば、捲取ドラムには釣糸（道糸）を捲取り円筒状捲取ドラムは、いか釣針のみを捲取り二者は完全に分離して捲取られ、これまた請求項１の発明効果が得られると共に、請求項２の発明の効果が得られる発明である。
【図面の簡単な説明】
【図１】  本願発明における、請求項１に係る発明の一部切欠して示す正面図。
【図２】  図１の平面図。
【図３】  図１の側面図。
【図４】  本願発明における、請求項１の発明に関する実施例で釣糸の捲取り初めを示す縮尺縦断正側面図。
【図５】  図４の状態を更に進め、釣糸といか釣針とを捲取る状態を示す縮尺縦断側面図。
【図６】  本願発明における、請求項２の発明に関しいか釣機本体のみを正す一部切欠した正面図。
【図７】  図６の平面図。
【図８】  図６の側面図。
【図９】  図６の縦断側面図。
【図１０】本願発明における請求項２の発明の縮尺縦断側面図。
【図１１】図１０の状態を更に進め、釣糸といか釣針とを捲取る状態を示す縮尺縦断側面図。
【図１２】本願発明における請求項３の発明の一部切欠して示す背面図。
【図１３】図１２の平面図。
【図１４】図１２の縮尺縦断側面図。
【図１５】本願発明における、請求項３の発明の実施例で釣糸の捲取り初めを示す縮尺縦断側面図。
【図１６】図１５の状態を更に進めた、実施例で釣糸といか釣針とを捲取り状態を示す縮尺縦断側面図。
【図１７】本願発明における請求項４の発明の実施形態を示す背面図である。
【符号の説明】
１  ：捲取ドラム
２  ：円筒状捲取ドラム
３  ：釣糸
４  ：通路鉤
５  ：通路鉤突当り止具
６  ：いか釣針
７  ：電磁弁
８  ：回転軸
８ａ：副回転軸
９  ：駆動モーター
１０：駆動装置
１１：支柱
１２：支持杆
１３：ガイドローラ
１４：いか受け金網受杆
１５：支持棒
１６：釣糸引掛杆
１７：電波発信指示計
１８：指示変更ボタン
１９：甲板
ａ１：電磁コイル
ａ２：回転止棒状爪
ａ３：切欠溝付車
ａ４：引張バネ
【図１】
0003794665.tif 000002
【図２】
0003794665.tif 000003
【図３】
0003794665.tif 000004
【図４】
0003794665.tif 000005
【図５】
0003794665.tif 000006
【図６】
0003794665.tif 000007
【図７】
0003794665.tif 000008
【図８】
0003794665.tif 000009
【図９】
0003794665.tif 000010
【図１０】
0003794665.tif 000011
【図１１】
0003794665.tif 000012
【図１２】
0003794665.tif 000013
【図１３】
0003794665.tif 000014
【図１４】
0003794665.tif 000015
【図１５】
0003794665.tif 000016
【図１６】
0003794665.tif 000017
【図１７】
0003794665.tif 000018